(57)【要約】      （修正有）【課題】職人の手を借りず、自分の手で簡単に制作出来るよう基本的な道具をキットとして提供し、これによって誰にでも簡単に制作でき、しかも安価に出来る様にした。【解決手段】ミニチュアランドの本体の基盤、ポケットの基盤、背面の基盤をトムソン加工による抜き加工で制作し、使用済ランドセルのカブセの部分を利用し、リメイクミニチュアランドを制作する。【選択図】図１
0003134636.tif 000002
【実用新案登録請求の範囲】
【請求項１】
リメイクミニチュアランドセルは本体基盤、ポケット基盤、背面基盤、背面プリント付基盤、カブセ切り抜き用型紙、カブセ裏ビニールポケット用型紙、ホック付ベロ用型紙より成り、素材はポリプロピレン樹脂製の既成抜き型を採用し、更に縫い目のステッチはシルク印刷を施し、使用済ランドセル本体のカブセを利用して自分だけの思い出のあるミニランドセルへとリメイクする為の簡単で基本的な道具と材料をセットした事を特徴とする、リメイクミニチュアランドセル手作り制作キット。
【考案の詳細な説明】
【技術分野】
【０００１】  本考案は、使用済ランドセル本体のカブセを利用して、リメイクミニチュアランドセルを制作する為のキットです。
【背景技術】
【０００２】今までは、職人や専門家が匠の技で作るミニランドセルであった。
【考案の開示】
【考案が解決しょうとする課題】
【０００３】  従来、職人や専門家が熟練した技術を駆使して使用済のランドセルを思い出としてミニチュア化して残すと言う風潮があった。
こういった職人の手を介する為、技術と時間とコストがかかっていた。
その為、店頭での陳列が難しく、主にインターネットでの紹介しか方法がなかった。
インターネットを利用できない方には知りえない情報でもあった。
本考案は以上のような欠点をなくす為になされたものである。
【課題を解決する為の手段】
【０００４】  ミニチュアランドセルの本体素材は、ポリプロピレン樹脂製の既成抜き型を採用し縫い目のステッチはシルク印刷である。
トムソン加工による抜き型でミニチュアランドの本体の基盤Ａ、ポケットの基盤Ｂ、背面基盤Ｃ、Ｄを制作した。
プラモデルのように組み立て式の抜き型のボディーと使用済ランドセルのカブセを止め具とカシメを使いジョイントする。
カブセとベロの部分（ホック付）をカシメで止め、ビニールポケットはカブセ裏に横バンドと肩ベルトを本体へセットしカシメで止める。
これらを制作するためのポンチ（穴あけ具）、ミニペンチ、両面シート、ビニールテープなどの基本的な材料と道具を用意して設けた。
出来上がったミニチュアランドセルは専用クリアケース（スチロール樹脂）にて保管出来る様にした。
【考案の効果】
【０００５】  リメイクミニチュアランドセル手作り制作キットは上記のような構成です。
職人や専門家の手を介さないで自分の手で制作するので低価格、短時間で仕上げる事が出来る。
トムソン加工の抜き型やキットを使用することにより、誰にでも簡単に制作出来る様になった。
それによりインターネットでしか知り得なかったことが、店頭にて陳列紹介できる物としての形式が出来た。
主に小学生が卒業時の思い出として、６年間使用したランドセルのカブセの部分を利用しリメイクミニチュアランドセルとして小型化し、卒業記念品として制作する事が出来る。
ランドセル本体のカブセの汚れ、シール、傷、落書きなど思い出の部分を忠実に再現出来るのでより一層の愛着がわき当時を懐かしむ事が出来る。
ランドセルをお持ちで無い方や処分してしまった方、又は破棄したくない方の為にも生地カットしたものを別売りで、提供することで制作出来る様配慮した。
又、教材や趣味やリハビリなどとしても利用出来る。
ランドセル本体よりミニチュアランドセルのカブセが２枚取れる為、１つは本人もしくは家庭に、もう片方は祖父母のプレゼントや友達同士でも交換出来る。
先生や友達に寄せ書きなどしてもらい、より卒業の思い出として残せる。
更に、自分の独創性を生かしミニチュアランドセルにアレンジしても面白い。
本来なら粗大ゴミとしてそのまま捨て去られるランドセルを生き返らせることで「環境にもやさしい」と言う活きた教材にもなる。
【考案を実地する為の最良の形態】
【０００６】  ミニチュアランドセルを制作する為の基本的な、材料と道具をケースの中に収納しているミニチュアランドセルの本体となる基盤、ポケットとなる基盤、背面となる基盤を組み合わせ更に両面シートで背面プリント付基盤をセットする。
そのセットした物と使用済ランドセルより切り取ったカブセを短カシメで止め上部を止め具で止める。
背面基盤をセットした物と一方の端の肩ベルトを短カシメで止め、もう片方をミニチュアランドセル本体基盤の下部とを短カシメで止める。
横バンドはポケット基盤の通し穴に通して本体基盤の両サイドに短カシメで止める。
カブセとベロの部分（ホック付）を短カシメで止め同時にビニールポケットをカブセ裏にセットする。
出来上がったミニチュアランドセルは専用クリアケースにて保管出来る様にした。
【実施例】
【０００７】  以下添付図面に従って実施例を説明する。
使用済ランドセル本体をご家庭のにある裁断バサミでカブセ部分を切り取り、図２の基盤Ｅ（カブセ型紙）にあわせ綺麗に切り取る。（２枚まで取れる）
同時に基盤Ｅの穴に合わせ（上３ヶ所、下２ヶ所）をポンチで打ち抜く。
同様に図２のビニールポケット用の基盤Ｆとホック付ベロ用の基盤Ｇとを穴に合わせ打ち抜く。図３【０００８】  カブセの下の２ヶ所の穴を開けた部分に図２のビニールポケットＯとホック付ベロＰをセットし、かなづちで短カシメを打って止める。
その時、事前に図４のカブセ裏のビニールポケットＯをセットする場所（３ヶ所）に両面シートＬを貼っておく。【０００９】  図５（ハ）で示している様に基盤Ｂに片方の横バンドＩの端を通し、更に図５（イ）（ロ）で示している様に基盤Ａと基盤Ｂをジョイントし図５（ハ）のもう片方の横バンドＩを通して短カシメＲで止める。（図６）【００１０】  図７（イ）（ロ）で示した様に基盤Ｂの下の穴の部分に肩ベルトＪの穴の２つある方を折り曲げて合わせ長カシメＱをセットしかなづちで打つ。同様にもう１本作る。【００１１】  図８（イ）の様に基盤Ｃに両面シートＬをカットして（４ヶ所）貼り、基盤Ａの差込み部分を基盤Ｃに差込み両面シートＬのもう片方をはがし止める。
同時に図８の（ロ）で示した基盤Ｄを図８（イ）の基盤Ｃに貼る。【００１２】  図７（イ）で示す様に肩ベルトＪのもう片方を、基盤Ｄにセットし短カシメＲで止めておく。【００１３】  図９で示す様に基盤Ａと基盤Ｂをのセットしたものと基盤Ｃと基盤Ｄを張り合わせたものとカブセ部分の３つを合体して上部を短カシメＲで３ヶ所を止め斜めよりかなづちで打ち込む。
さらに止め具Ｓで両端上部をミニペンチＭで締める。【００１４】  背面の縫い目のステッチ印刷の内側に添ってビニールテープＬを貼り、背面下部の両アール（曲線）の部分２ヶ所にスミ金（Ｌ字型金具）ＴをセットしミニペンチＭで締める。図１０【００１５】  基盤Ａの底には図２の底板Ｓを入れる。
仕上りにカブセの横のヘリはお好みでマジックなど塗っても綺麗に仕上がる。図１０【００１６】  リメイクミニチュアランドセルを制作する為の簡単な道具と材料を収納している
ケースは反転させミニランドセルを保管出来る専用クリアケースになっている。図１１
【図面の簡単な説明】
【００１７】
【図１】  本考案のリメイクミニチュアランドセル手作り制作キットの外観図
【図２】  本考案のセット内容を示す内容図
【図３】  本考案の部分図
【図４】  本考案の部分図
【図５】  本考案の前面部分図
【図６】  本考案の前面部分図
【図７】  本考案の下部部分図
【図８】  本考案の背面部分図
【図９】  本考案の背面部分図
【図１０】  本考案の全体図
【図１１】  本考案の全体完成図
【符号の説明】
【００１８】１  ミニチュアランドセル
Ａ  本体部分の基盤
Ｂ  ポケット部分の基盤
Ｃ  背面部分の基盤
Ｄ  背面部分の基盤（プリント部分）
Ｅ  カブセ型紙の基盤
Ｆ  ビニールポケット型紙の基盤
Ｇ  ベロ部分の型紙の基盤
Ｈ  底板
Ｉ  横バンド
Ｊ  背ベルト
Ｋ  ビニールテープ
Ｌ  両面シート
Ｍ  ミニペンチ
Ｎ  ポンチ
Ｏ  ビニールポケット
Ｐ  ベロ（ホック付）
Ｑ  カシメ（長）
Ｒ  カシメ（短）
Ｓ  止め具
Ｔ  スミ金（Ｌ字型金具）
２  専用クリアーケース
【図１】
0003134636.tif 000003
【図２】
0003134636.tif 000004
【図３】
0003134636.tif 000005
【図４】
0003134636.tif 000006
【図５】
0003134636.tif 000007
【図６】
0003134636.tif 000008
【図７】
0003134636.tif 000009
【図８】
0003134636.tif 000010
【図９】
0003134636.tif 000011
【図１０】
0003134636.tif 000012
【図１１】
0003134636.tif 000013